(57)【特許請求の範囲】
【請求項１】
レールに沿って移動する壁体にドアを有する出入口が開設されており、この壁体には前記ドアを前記出入口にロックするためのドアロック装置が装備されている移動壁において、
前記ドアロック装置は前記壁体の移動を検出して移動する検出ロッドと、この検出ロッドの移動によって前記ドアを出入口にロックするロックピンとを備えていることを特徴とする移動壁。
【請求項２】
前記検出ロッドの検出端が隣接する壁体の召し合わせ面に対向されていることを特徴とする請求項１に記載の移動壁。
【請求項３】
前記ロックピンには前記ドアの一部と係合してロックピンを前記ロックを解除させる方向に移動させる傾斜面が形成されていることを特徴とする請求項１または２に記載の移動壁。
【発明の詳細な説明】
【０００１】
【発明の属する技術分野】
本発明は、移動壁に関し、特に、ドア付き移動壁に係り、例えば、コンベンションホールや宴会場、会議室、研修室およびギャラリー等の空間を所望のサイズや雰囲気に間仕切りする移動間仕切りに利用して有効なものに関する。
【０００２】
【従来の技術】
一般に、コンベンションホールや宴会場、会議室、研修室およびギャラリー等の空間を使用目的に対応して所望のサイズや雰囲気に間仕切りする移動間仕切りは、これら建築空間の天井に敷設されたレールに沿って移動する移動壁が複数枚組み合わされて構築されている。このような移動間仕切りに使用される従来の移動壁として、長方形のパネル形状に形成された壁体が天井に敷設されたレールにサスペンションによって懸架されているものがある。
【０００３】
広いコンベンションホールや宴会場等に複数枚の移動壁によって構築された移動間仕切りにドアが設置されていないと不便であるため、このような移動間仕切りには壁体にドアを有する出入口が開設されたドア付き移動壁が一枚または複数枚ずつ介設されている。
【０００４】
この移動ドア付き移動壁が移動される際にドアが不測に開くと、移動させることができないため、従来のドア付き移動壁には、ドアを出入口にロックするドアロック装置としてのフランス落としが壁体に装備されている。
【０００５】
【発明が解決しようとする課題】
しかし、フランス落としが装備されたドア付き移動壁においては、ドア付き移動壁を移動させる際に、作業者がフランス落としを手動操作してドアを出入口にロックし、かつまた、移動間仕切りの組立後に作業者がフランス落としを手動操作してドアのロックを解除する必要があるため、操作し忘れ等の人為的ミスが発生するという問題点、がある。
【０００６】
本発明の目的は、移動時のドアのロックおよびその後のロック解除を自動的に実行することができる移動壁を提供することにある。
【０００７】
【課題を解決するための手段】
本発明に係る移動壁は、レールに沿って移動する壁体にドアを有する出入口が開設されており、この壁体には前記ドアを前記出入口にロックするためのドアロック装置が装備されている移動壁において、
前記ドアロック装置は前記壁体の移動を検出して移動する検出ロッドと、この検出ロッドの移動によって前記ドアを出入口にロックするロックピンとを備えていることを特徴とする。
【０００８】
前記した移動壁において、壁体が移動されると、検出ロッドがその移動を検出することによってロックピンを作動させることにより、ドアを自動的にロックさせるため、ドアの移動中の不測の開きを確実に防止することができる。
【０００９】
【発明の実施の形態】
以下、本発明の一実施の形態を図面に即して説明する。
【００１０】
本実施の形態において、本発明に係る移動壁は、広い空間であるコンベンションホールの移動間仕切りに使用するのに好適なドア付き移動壁として構成されている。図１に示されているように、コンベンションホール１は移動間仕切り２によって間仕切りされるようになっており、移動間仕切り２は複数枚の移動壁３によって構築されている。各移動壁３はコンベンションホール１の側壁間の中間高さに架設されたレール４にトロリー（図示せず）によって走行自在にそれぞれ懸架されている。広いコンベンションホール１に複数枚の移動壁３によって構築された移動間仕切り２にドアが設置されていないと不便であるため、この移動間仕切り２には図２に示されたドア付き移動壁１０が複数枚、適当な間隔を置いて介設されている。
【００１１】
図２に示されているように、ドア付き移動壁１０は縦に長い長方形の中空体のパネル形状（所謂太鼓形状）に構築された壁体１１を備えており、壁体１１はレール４（図１参照）にトロリーによって走行自在に懸架されている。長方形の中空パネル形状に形成された壁体１１の中空部内にはガラスウール等の吸音材（図示せず）が充填されている。壁体１１の下端には長方形の出入口１２が開設されており、出入口１２には左右で一対のドア１３、１３が観音開きに取り付けられている。すなわち、左右のドア１３、１３は縦に長い長方形の中空体のパネル形状に形成されており、出入口１２に観音開きに建て込まれた状態で、左辺および右辺が出入口１２の左辺および右辺にヒンジ１４によって回転自在に支承されている。左右のドア１３、１３のヒンジ１４と反対側の右端部および左端部には把手１５、１５が設置されている。
【００１２】
左右のドア１３、１３の上端と出入口１２の天井壁下面との間には、左右のドアクローザ１６、１６がそれぞれ装備されており、左右のドア１３、１３は開かれた後に左右のドアクローザ１６、１６によってそれぞれ自動的に閉じられるようになっている。また、出入口１２の天井壁の下面における中央部には、ドア付き移動壁１０の移動時のドア１３のロックおよび移動後のロック解除を自動的に実行するドアロック装置２０が装備されている。
【００１３】
以下、本実施の形態に係るドアロック装置２０を図２および図３以降に即して説明する。図２および図３に示されているように、ドアロック装置２０はドア付き移動壁１０の移動を検出して移動する検出ロッド２１と、この検出ロッド２１の移動によってドア１３の出入口１２に対するロックを解除する一対のロックピン３０、３０とを備えている。
【００１４】
図３に示されているように、検出ロッド２１は連結ロッド２１ａと、連結ロッド２１ａの先端に螺着されたプッシュロッド２１ｂと、プッシュロッド２１ｂの先端に螺着されたキャップ２１ｃとを備えており、検出ロッド２１の全長は二箇所の螺合部によって微調整されるようになっている。検出ロッド２１は出入口１２の天井壁面１２ａの内部に左右方向に延在するように水平に敷設されており、連結ロッド２１ａの基端部が天井壁面１２ａの左右方向の中央部（左右のドア１３、１３の合わせ部）に固定された複数個の取付板２２によって摺動自在に支持され、キャップ２１ｃが壁体１１の召し合わせ面１１ａに固定されたガイド板２３によって摺動自在に支持されている。壁体１１の召し合わせ面１１ａにはシール体１７が敷設されており、シール体１７はドア付き移動壁１０が左隣の移動壁３に突き合わされた時に、その移動壁３に敷設されたシール体（図示せず）と協働して召し合わせ面のシールを維持するように構成されている。検出ロッド２１のキャップ２１ｃの先端面はシール体１７の召し合わせ面１７ａから突出するように設定されている。
【００１５】
図３および図４に示されているように、検出ロッド２１の連結ロッド２１ａの中間部にはスプリングシート２４が固定されており、このスプリングシート２４と対向する取付板２２の対向面にもスプリングシート２５が固定されている。連結ロッド２１ａの互いに対向するスプリングシート２４と２５との間には、圧縮コイルスプリング２６が蓄力状態で外装されており、このスプリング２６は取付板２２すなわち壁体１１に反力をとって検出ロッド２１のキャップ２１ｃをシール体１７の召し合わせ面１７ａから突出させる方向に常時付勢している。検出ロッド２１の連結ロッド２１ａにおけるスプリングシート２５よりもキャップ２１ｃと反対側の端部には、左右で一対のガイドピン２７、２７が直交する方向（以下、前後方向という。）に延在するように水平に貫通されてそれぞれ固定されている。
【００１６】
本実施の形態において、図２および図３に示されているように、ドアロック装置２０はロックピン３０を左右のドア１３、１３に対応して左右で一本ずつ備えている。ここで、左右のロックピン３０、３０の検出ロッド２１および左右のドア１３、１３との連携構造は同一であるので、その構成は左側のものについて図４によって説明する。
【００１７】
図４に示されているように、壁体１１の天井壁面１２ａの内部における左側のドア１３の自由端部に対向する位置の一対の取付板２２、２２の間には、チャンネル型鋼形状に形成された座板３１が挟み込まれて固定されており、座板３１には正方形の角パイプ形状に形成されたガイドパイプ３２が垂直方向に配置されて固定されている。ガイドパイプ３２の上端部における前後方向の一対の側壁には一対のガイド孔３３、３３が開設されており、両ガイド孔（以下、垂直ガイド孔という。）３３、３３は垂直方向に長い長孔によって構成されている。ガイドパイプ３２には丸棒形状に形成されたロックピン３０が垂直方向に摺動自在に嵌入されており、ロックピン３０の上端部には丸棒形状のガイドピン３４が前後方向に延在するように水平に貫通されて固定されている。ガイドピン３４の両端部はガイドパイプ３２の垂直ガイド孔３３、３３に垂直方向に摺動自在にそれぞれ挿通されている。
【００１８】
座板３１には座板３１よりも幅の狭い略チャンネル型鋼形状に形成された連結バー４０が、その前後方向の外面が座板３１の前後方向の内面にそれぞれ摺接された状態で挿入されており、連結バー４０は座板３１に前後方向に延在するように水平に軸架された支軸４１によって垂直面内において回動自在に支持されている。連結バー４０の前後壁におけるガイドパイプ３２に対向する部位には、一対のガイド孔（以下、左右方向ガイド孔という。）４２、４２が左右方向に延在するようにそれぞれ開設されており、両左右方向ガイド孔４２、４２にはガイドパイプ３２の垂直ガイド孔３３、３３に挿通されたガイドピン３４の両端部が左右方向に摺動自在にそれぞれ挿通されている。
【００１９】
連結バー４０の前後壁における検出ロッド２１に対向する部位には、一対のガイド孔（以下、上下方向ガイド孔という。）４３、４３が上下方向に延在するようにそれぞれ開設されており、両上下方向ガイド孔４３、４３には検出ロッド２１に突設されたガイドピン２７の両端部が上下方向に摺動自在に挿通されている。両上下方向ガイド孔４３、４３を挿通したガイドピン２７の両端部は、座板３１の前後壁に左右方向に延在するように水平にそれぞれ開設された一対のガイド孔（以下、水平ガイド孔という。）３５、３５に水平方向に摺動自在にそれぞれ挿通されている。
【００２０】
他方、ドア１３の自由端部における上端にはロックプレート５０が水平に固定されており、ロックプレート５０におけるロックピン３０の真下の位置には、ロックピン３０を上方から嵌入させるロック孔５１が開設されている。そして、ロックピン３０とロック孔５１とは出入口１２においてドア１３が閉じた状態において、互いにがたつき無く嵌合し得るように設定されている。ロックピン３０の下端部には前方を向いて下向きに傾斜した傾斜面３６が形成されており、ロックピン３０はドア１３の上端縁部が傾斜面３６に当接して押されると、圧縮コイルスプリング２６の弾発力に抗して上昇されるように構成されている。
【００２１】
次に、以上の構成に係るドアロック装置の作用を説明する。
【００２２】
移動間仕切り２が構築されてドア付き移動壁１０が移動壁３に隣接した状態においては、ドアロック装置２０の検出ロッド２１のキャップ２１ｃの先端が隣接した移動壁３のシール体の召し合わせ面に突き当たった状態になるため、図３および図４に示されているように、検出ロッド２１は移動壁３と離間する方向（以下、右方向とする。）へ圧縮コイルスプリング２６の弾発力に抗して押された状態になっている。
【００２３】
この検出ロッド２１が右方向へ押された状態においては、検出ロッド２１に固定されたガイドピン２７が水平ガイド孔３５の右端部側に位置するため、連結バー４０はガイドピン２７が嵌入した上下方向ガイド孔４３によって反時計回り方向に回動して右肩上がりの状態になっている。この連結バー４０の右肩上がりの状態においては、連結バー４０の左右方向ガイド孔４２に嵌入したガイドピン３４は垂直ガイド孔３３の上端部に位置するため、ガイドピン３４が固定されたロックピン３０はガイドパイプ３２において上限に位置した状態になっている。この上限に位置した状態において、ロックピン３０はドア１３に固定されたロックプレート５０のロック孔５１から引き抜かれた状態になっているため、ドアロック装置２０は左右のドア１３、１３のロックを解除した状態になっている。
【００２４】
以上のようにしてドアロック装置２０がドアロックを解除した状態においては、左右のドア１３、１３は自由に開閉することができるため、コンベンションホール１の入場者は移動間仕切り２の複数箇所に設置されたドア付き移動壁１０のドア１３、１３を利用して、移動間仕切り２を自由に通過することができる。
【００２５】
その後、移動間仕切り２の撤去に際して、ドア付き移動壁１０が隣接した移動壁３から離間する方向に移動されると、ドアロック装置２０の検出ロッド２１のキャップ２１ｃの先端が隣接した移動壁３のシール体の召し合わせ面から離座するため、検出ロッド２１は移動壁３の方向（以下、左方向とする。）へ圧縮コイルスプリング２６の弾発力によって押し戻される。
【００２６】
検出ロッド２１が左方向へ押し戻されると、図５に示されているように、検出ロッド２１に固定されたガイドピン２７が水平ガイド孔３５の左端部側に移行するため、連結バー４０はガイドピン２７が嵌入した上下方向ガイド孔４３によって時計回り方向に回動される。連結バー４０が時計回り方向に回動すると、連結バー４０の左右方向ガイド孔４２に嵌入したガイドピン３４は垂直ガイド孔３３の下端部に下降するため、ガイドピン３４が固定されたロックピン３０はガイドパイプ３２において下限に下降する。この下限に下降したロックピン３０はドア１３に固定されたロックプレート５０のロック孔５１に挿入した状態になるため、ドアロック装置２０は左右のドア１３、１３をロックした状態になる。
【００２７】
以上のようにしてドアロック装置２０がドアロックした状態においては、左右のドア１３、１３は閉鎖状態を確実に維持するため、ドア付き移動壁１０の移動はドア１３、１３に妨害されることなく安全に実行することができ、移動間仕切り２は安全かつ迅速に撤去することができる。
【００２８】
万一、ドア１３が開かれたままでドア付き移動壁１０が移動されると、ドアロック装置２０のドアロック作動が前述したように自動的に実行されることにより、ロックピン３０が下降して突出した状態のままになってしまうため、ドア１３を閉じることができなくなってしまう。
【００２９】
しかし、本実施の形態においては、ロックピン３０に傾斜面３６が形成されているため、ロックピン３０をドア１３の閉じ操作によって上方に一時的に逃がし、ドア１３を出入口１２に対して閉じた後に、前述したドアロック装置２０による自動ドアロック作動によってドア１３をロックすることができる。すなわち、ドア付き移動壁１０の移動に際してドア１３が開かれたままの場合において、ドア１３が閉じ操作されると、ドア１３の閉じ側の上端縁がロックピン３０の傾斜面３６に係合することにより傾斜面３６に倣ってロックピン３０を押し上げるため、ドア１３はロックピン３０の上昇に追従して閉じることができる。ドア１３が出入口１２に対して閉じると、ロックピン３０はドア１３のロック孔５１の真上に来るため、前述したように、圧縮コイルスプリング２６の弾発力によって押し下げられてロック孔５１に自動的に嵌入され、ドアロック状態になる。
【００３０】
前記実施の形態によれば、次の効果が得られる。
【００３１】
1)  ドア付き移動壁の移動に際して、ドアを出入口に対してドアロック装置によって自動的にロックすることができ、また、ドア付き移動壁の移動間仕切りの構築に際して、ドアロック装置によるドアの出入口に対するロック状態を自動的に解除することができるため、ロックやロック解除のし忘れ等の人為的ミスの発生を防止することができる。
【００３２】
2)  ドア付き移動壁の移動に際してのドアロックのし忘れによる移動時のドアの不測の開きを未然に防止することにより、ドア付き移動壁の移動時の安全を確保することができる。
【００３３】
3)  ドア付き移動壁の移動後のドアロック解除のし忘れを未然に防止することにより、移動間仕切り構築後のドアの開閉を確保することができる。なお、フランス落としによるドアロック装置の場合には、ドア付き移動壁の移動後のドアロック解除のし忘れによる移動間仕切り構築後のドアの開閉を確保するために、フランス落としはドア付き移動壁の正面（前面）または背面（後面）から操作し得るように配置されており、ドア付き移動壁の美観の低下を余儀なくされている。
【００３４】
4)  ドアロック装置が壁体の出入口の天井壁面内およびドアの上端に収納され、かつ、検出ロッドの先端が壁体の召し合わせ面に配置されていることにより、移動間仕切りが構築された後のドア付き移動壁の正面（前面）および背面（後面）において、ドアロック装置が看取されるのを防止することができるため、ドア付き移動壁ひいては移動間仕切りの美観を高めることができる。
【００３５】
図６以降は本発明の他の実施の形態であるドア付き移動壁のドアロック装置を示している。
【００３６】
本実施の形態が前記実施の形態と異なる点は、図６に示されているように、観音開きの左右のドア１３Ａ、１３Ｂが左右隣合わせのドア付き移動壁１０Ａ、１０Ｂにそれぞれ設置されており、左右のドア付き移動壁１０Ａ、１０Ｂに左右のドア１３Ａ、１３Ｂのためのドアロック装置２０Ａ、２０Ｂが設置されている点、である。
【００３７】
図７に示されているように、左側のドア付き移動壁１０Ａに設置されたドアロック装置２０Ａにおいては、検出ロッド２１Ａの先端は左側ドア１３Ａの自由端側である壁体１１の右辺の召し合わせ面に配置されている。また、右側のドア付き移動壁１０Ｂに設置されたドアロック装置２０Ｂにおいては、検出ロッド２１Ｂの先端は右側ドア１３Ｂの自由端と反対側の壁体１１の右辺の召し合わせ面に配置されている。
【００３８】
本実施の形態においては、左側のドア付き移動壁１０Ａが右側のドア付き移動壁１０Ｂから離間するように相対的に移動されると、左側のドアロック装置２０Ａの検出ロッド２１Ａの先端が右側のドア付き移動壁１０Ｂの壁体１１の召し合わせ面から離座するため、左側のドア１３Ａが左側のドアロック装置２０Ａによって自動的にロックされる。
【００３９】
また、右側のドア付き移動壁１０Ｂが右側の移動壁３から離間するように相対的に移動されると、右側のドアロック装置２０Ｂの検出ロッド２１Ｂの先端が右側の移動壁３の壁体１１の召し合わせ面から離座するため、右側のドア１３Ｂが右側のドアロック装置２０Ｂによって自動的にロックされる。
【００４０】
なお、本発明は前記実施の形態に限定されるものではなく、その要旨を逸脱しない範囲で種々に変更が可能であることはいうまでもない。
【００４１】
例えば、ドアロック装置の検出ロッドとロックピンとの連携構造は、前記実施の形態の構造を使用するに限らない。
【００４２】
ドアは観音開きに構成するに限らず、片開きに構成してもよい。
【００４３】
【発明の効果】
以上説明したように、本発明によれば、ドア付き移動壁の移動に際して、ドアを出入口に対してドアロック装置によって自動的にロックすることができ、また、ドア付き移動壁の移動間仕切りの構築に際して、ドアロック装置によるドアの出入口に対するロック状態を自動的に解除することができるため、ロックやロック解除のし忘れ等の人為的ミスの発生を防止することができる。
【図面の簡単な説明】
【図１】本発明の一実施の形態であるドア付き移動壁を使用した移動間仕切りを示す斜視図である。
【図２】本発明の一実施の形態であるドア付き移動壁を示す一部省略正面図である。
【図３】ドアロック装置を示しており、（ａ）は一部省略正面断面図、（ｂ）は一部省略底面断面図である。
【図４】ドアロック装置の主要部を示しており、（ａ）は正面断面図、（ｂ）は（ａ）のｂ−ｂ線に沿う側面断面図である。
【図５】そのロック状態を示しており、（ａ）は正面断面図、（ｂ）は（ａ）のｂ−ｂ線に沿う側面断面図である。
【図６】本発明の他の実施の形態であるドア付き移動壁を示す一部省略正面図である。
【図７】ドアロック装置を示す一部省略正面断面図である。
【符号の説明】
１…コンベンションホール、２…移動間仕切り、３…移動壁、４…レール、５…床面、１０…ドア付き移動壁、１１…壁体、１１ａ…召し合わせ面、１２…出入口、１２ａ…天井壁面、１３…ドア、１４…ヒンジ、１５…把手、１６…ドアクローザ、１７…シール体、１７ａ…召し合わせ面、２０…ドアロック装置、２１…検出ロッド、２１ａ…連結ロッド、２１ｂ…プッシュロッド、２１ｃ…キャップ、２２…取付板、２３…ガイド板、２４、２５…スプリングシート、２６…圧縮コイルスプリング、２７…ガイドピン、３０…ロックピン、３１…座板、３２…ガイドパイプ、３３…垂直ガイド孔、３４…ガイドピン、３５…水平ガイド孔、３６…傾斜面、４０…連結バー、４１…支軸、４２…左右方向ガイド孔、４３…上下方向ガイド孔、５０…ロックプレート、５１…ロック孔、１０Ａ、１０Ｂ…左右隣合わせのドア付き移動壁、１３Ａ、１３Ｂ…観音開きの左右のドア、２０Ａ、２０Ｂ…左右のドアのためのドアロック装置、２１Ａ、２１Ｂ…左右のドアロック装置の検出ロッド。
【図１】
0003683204.tif 000002
【図２】
0003683204.tif 000003
【図３】
0003683204.tif 000004
【図４】
0003683204.tif 000005
【図５】
0003683204.tif 000006
【図６】
0003683204.tif 000007
【図７】
0003683204.tif 000008